(57)【要約】【課題】簡素な構成で低コストで実現でき、設計の自由度が高い表示記憶装置を提供する。【解決手段】制御部１１０は、タッチ式入力部１０２に対する筆記入力と、ダイヤル式入力部１０３対する押下操作に応じて、筆記入力された文字や図形などを記憶部１０５に保存し、また制御部１１０は、ダイヤル式入力部１０３に対する回転操作に応じて、保存しておいた筆記入力による文字や図形を記憶部１０５から読み出して表示部１０１に順次表示するようにしたものである。【選択図】図２
2008243041.tif 000002
【特許請求の範囲】
【請求項１】
尖筆によって入力された軌跡を検出する軌跡入力手段と、
ユーザからの登録指示を受け付ける登録指示入力手段と、
この登録指示入力手段が登録指示を受け付けた場合に、前記軌跡入力手段によって入力された軌跡に、データ名を付与して画像データとして記憶する記憶手段と、
この記憶手段が記憶する画像データに基づく画像を表示する表示手段とを具備することを特徴とする表示記憶装置。
【請求項２】
さらに、前記軌跡入力手段が検出した軌跡を、前記記憶手段が記憶する前に、前記表示手段に表示させる表示制御手段を備えることを特徴とする請求項１に記載の表示記憶装置。
【請求項３】
さらに、ユーザから表示指示を受け付ける表示指示入力手段と、
この表示指示入力手段に対するユーザ操作に応動して、順次、前記記憶手段から画像データを読み出し、この画像データに基づく画像を前記表示手段に表示させる表示制御手段とを備えることを特徴とする請求項１に記載の表示記憶装置。
【請求項４】
画像データを記憶する記憶手段と、
ユーザから表示指示を受け付ける表示指示入力手段と、
この表示指示入力手段に対するユーザ操作に応動して、順次、前記記憶手段から画像データを読み出し、この画像データに基づく画像を前記表示手段に表示させる表示制御手段とを具備することを特徴とする表示記憶装置。
【請求項５】
前記表示指示入力手段は、回転体を備え、ユーザが前記回転体を回転させることにより表示指示を受け付けることを特徴とする請求項３または請求項４に記載の表示記憶装置。
【請求項６】
さらに、外部から画像データの入力を受け付けるデータ入力手段を備え、
前記記憶手段は、前記データ入力手段を通じて入力された画像データを記憶することを特徴とする請求項１または請求項４に記載の表示記憶装置。
【発明の詳細な説明】
【技術分野】
【０００１】
この発明は、入力された情報の記憶と表示を行う表示記憶装置に関する。
【背景技術】
【０００２】
周知のように、従来は、手書き入力されるデータを記憶するとともに、外部から入力された画像データも記憶して、これらのデータを合わせて表示するようにしている（例えば、特許文献１参照）。このため、装置の構成が複雑で、高価であるという問題や、装置が大型のため、設計の自由度が低いという問題があった。
【特許文献１】特開２００３−２５６１３４公報。
【発明の開示】
【発明が解決しようとする課題】
【０００３】
従来の表示記憶装置では、装置の構成が複雑で、高価であるという問題や、装置が大型のため、設計の自由度が低いという問題があった。  
この発明は上記の問題を解決すべくなされたもので、簡素な構成で低コストで実現でき、設計の自由度が高い表示記憶装置を提供することを目的とする。
【課題を解決するための手段】
【０００４】
上記の目的を達成するために、この発明は、尖筆によって入力された軌跡を検出する軌跡入力手段と、ユーザからの登録指示を受け付ける登録指示入力手段と、この登録指示入力手段が登録指示を受け付けた場合に、軌跡入力手段によって入力された軌跡に、データ名を付与して画像データとして記憶する記憶手段と、この記憶手段が記憶する画像データに基づく画像を表示する表示手段とを具備して構成するようにした。
【発明の効果】
【０００５】
以上述べたように、この発明では、ユーザからの登録指示があると、尖筆などによって入力された軌跡に、データ名を付与して画像データとして記憶し、この画像データに基づく画像を表示手段に表示するようにしている。  
したがって、この発明によれば、ユーザは尖筆によって筆記入力した軌跡を、データ名の付与操作無しに画像データとして記録して、それを表示するので、軌跡入力の記録や表示を簡素な構成で低コストで実現でき、設計の自由度が高い表示記憶装置を提供できる。
【発明を実施するための最良の形態】
【０００６】
以下、図面を参照して、この発明の一実施形態について説明する。  
図１は、この発明の一実施形態に係わる表示記憶装置１００の外観を示す図である。この図に示すように、表示記憶装置１００は、筐体の側面に表示部１０１を備え、その表面にタッチ式入力部１０２が載置される。タッチ式入力部１０２は、表示部１０１に表示される情報が視認できるように、例えば透過型のタッチパネルを用い、ユーザがスタイラス（尖筆）１０２１を用いて、タッチ式入力部１０２上で筆記することにより入力が行われる。
【０００７】
ダイヤル式入力部１０３は、例えば筐体の長手方向端部に設けられ、回転体を回転させたり、押下することによりユーザの入力指示を受け付けるものである。外部インタフェース１０４は、例えばＵＳＢ（Universal Serial Bus）などのデータ入出力用のインタフェースであって、例えばダイヤル式入力部１０３とは反対側の筐体の長手方向端部に設けられ、着脱式の端子保護カバー１０４１によって保護される。
【０００８】
図２は、上記表示記憶装置１００の回路ブロック図を示すものである。この図に示すように、表示記憶装置１００は、表示部１０１と、タッチ式入力部１０２と、ダイヤル式入力部１０３と、外部インタフェース１０４と、記憶部１０５と、電源部１０６と、制御部１１０とを備える。
【０００９】
表示部１０１は、例えばLCD(Liquid Crystal Display)などを用いた表示装置であって、上述したようにその表面上にタッチ式入力部１０２が載置され、制御部１１０によって表示制御が行われる。  
タッチ式入力部１０２は、上述したように、例えば透過型のタッチパネルであって、ユーザによって押圧された位置を検出し、これを制御部１１０に通知する。
【００１０】
ダイヤル式入力部１０３は、回転体が回転自在に軸支されるとともの、この軸支構造と共に回転体が押下により筐体長手方向に可動可能な構造となっており、図３に示すような回転体１０３ａに対する回転操作１０３ｂ、１０３ｃを内蔵するロータリエンコーダ（図示しない）により検出すると共に、回転体１０３ａに対する押下操作１０３ｄを内蔵するスイッチ（図示しない）により検出し、これらの検出結果を制御部１１０に通知する。
【００１１】
外部インタフェース１０４は、上述したように、例えばＵＳＢなどのデータ入出力用のインタフェースであって、制御部１１０の制御により、これを通じてデータの入出力が行われる。  
記憶部１０５は、例えばNAND型のフラッシュメモリであって、制御部１１０によってデータの記録と読み出しが行われる。  
電源部１０６は、バッテリを備え、当該表示記憶装置１００の各部に動作用の電力を供給するものである。
【００１２】
制御部１１０は、CPU(Central Processing Unit)などのマイクロプロセッサを備え、当該表示記憶装置１００の各部を統括して制御するものであって、例えばタッチ式入力部１０２によって時々刻々と検出される座標を一連の軌跡として認識して、この軌跡を画像データに変換する機能や、この画像データを記憶部１０５に記録する機能、記憶部１０５に記録された画像データに基づく画像を表示部１０１に表示する機能などを備える。
【００１３】
次に、上記構成の表示記憶装置の動作について説明する。  
図４は、表示記憶装置の動作を説明するフローチャートであって、制御部１１０の制御フローを示すものである。この制御フローは、タッチ式入力部１０２に対して操作が加えられたり、ダイヤル式入力部１０３に対して回転操作や押下操作が加えられた場合に、電源が投入され、電源が切られるまで繰り返し実行される。
【００１４】
まず、ステップ４ａにおいて制御部１１０は、タッチ式入力部１０２やダイヤル式入力部１０３に対する操作を監視する。ここで、制御部１１０は、タッチ式入力部１０２に対する操作、すなわちスタイラス１０２１などを用いた筆記入力を検出した場合には、ステップ４ｂに移行し、一方、ダイヤル式入力部１０３に対する回転操作を検出した場合には、ステップ４ｆに移行する。
【００１５】
ステップ４ｂにおいて制御部１１０は、タッチ式入力部１０２に対して行われた筆記入力による軌跡の座標を検出し、ステップ４ｃに移行する。  
ステップ４ｃにおいて制御部１１０は、ステップ４ｂで検出した軌跡の座標を、一時的に記憶部１０５に記録するとともに、上記軌跡の座標に基づいて、その軌跡を表示部１０１に表示し、ステップ４ｄに移行する。すなわち、ステップ４ｃにおいて制御部１１０は、ステップ４ｂで筆記入力された軌跡を表示部１０１に表示する。
【００１６】
ステップ４ｄにおいて制御部１１０は、ダイヤル式入力部１０３に対して押下操作がなされたか否かを判定する。ここで、押下操作がなされた場合には、ステップ４ｅに移行し、一方、押下操作がなされない場合には、ステップ４ｂに移行して、筆記入力の受け付けを継続する。
【００１７】
ステップ４ｅにおいて制御部１１０は、記憶部１０５に一時的に記録しておいた軌跡の座標に基づく画像データに、ファイルナンバーｍを付与して記憶部１０５に記録するとともに、一時的に記憶部１０５に記録しておいた座標情報を消去し、ステップ４ａに移行する。すなわち、ステップ４ｅにおいて制御部１１０は、ステップ４ｂ〜４ｄで筆記入力された画像を記憶部１０５に記録する。なお、ｍはステップ４ｅに至る時点で、記憶部１０５に記録されたファイルナンバーの最大値ｍに１を加算した値である。
【００１８】
ステップ４ｆにおいて制御部１１０は、パラメータｎの値に、記憶部１０５に記録されたファイルナンバーの最大値ｍを設定し、ステップ４ｇに移行する。  
ステップ４ｇにおいて制御部１１０は、ファイルナンバーｎの画像データを記憶部１０５から読み出し、ステップ４ｈに移行する。  
ステップ４ｈにおいて制御部１１０は、ステップ４ｇで読み出した画像データに基づく画像を表示部１０１に表示し、ステップ４ｉに移行する。
【００１９】
ステップ４ｉにおいて制御部１１０は、ダイヤル式入力部１０３に対する回転操作を監視する。ここで、制御部１１０は、ダイヤル式入力部１０３に対する回転操作を検出した場合には、ステップ４ｋに移行する。一方、回転操作を検出しない場合には、ステップ４ｊに移行する。
【００２０】
ステップ４ｊにおいて制御部１１０は、タッチ式入力部１０２に対する操作を監視する。ここで、制御部１１０は、タッチ式入力部１０２に対する操作、すなわちスタイラス１０２１などを用いた筆記入力を検出した場合には、ステップ４ｂに移行し、一方、筆記入力を検出しない場合には、ステップ４ｉに移行する。これにより、新たな筆記入力の受け付けが開始される。
【００２１】
ステップ４ｋにおいて制御部１１０は、パラメータｎの値を１だけ減算し、ステップ４ｇに移行する。これにより、現在表示している画像の前に入力された画像を表示部１０１に表示する処理が開始される。
【００２２】
以上のように、上記構成の表示記憶装置１００では、タッチ式入力部１０２に対する筆記入力と、ダイヤル式入力部１０３対する押下操作だけで、文字や図形などを筆記入力して保存でき、またダイヤル式入力部１０３に対する回転操作で、保存しておいた筆記入力による文字や図形を表示部１０１に順次表示するようにしている。
【００２３】
したがって、上記構成の表示記憶装置１００によれば、入力した文字の認識処理を行わないため、制御部１１０のCPUに要求される処理能力が低く、またデータを保存する際のファイル名の命名や、データを呼び出す際に、ファイルで選択する操作が不要であるため、簡素な構成で、低コストで実現でき、設計の自由度が高い。  
また外部インタフェース１０４を通じて、保存しているデータを例えばパーソナルコンピュータなどに読み出したり、あるいはパーソナルコンピュータからデータを入力することもできる。
【００２４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２５】
その一例として例えば、上記実施の形態では、外部インタフェース１０４を端子保護カバー１０４１でキャップして保護するようにしたが、外部インタフェース１０４を可動式にし、使用時には外に出現させ、不使用時には内蔵して保護するようにしてもよい。
【００２６】
また上記実施の形態では、外部インタフェース１０４とスタイラス１０２１の大きさと比べてわかるように、親指程度の大きさを想定した例を図示したが、手のひらサイズや、多くの人が同時に表示部１０１を目視できるように、パーソナルコンピュータのディスプレイサイズや、ホワイトボードサイズであってもよい。
【００２７】
また上記実施の形態では、保存しているデータを新しいものから順に表示させるものとして説明したが、古い順でもよいし、ランダムでもよく、あるいはデータサイズにしたがった順序でもよい。また制御部１１０に時計機能を内蔵させ、時間情報をデータに付与して保存するようにしたり、予めユーザが設定した時間前のデータを優先的に表示させるようにしてもよい。またユーザがダイヤル式入力部１０３に対する回転操作で順次表示するのではなく、時間の経過によって順次表示を切り替えるスライドショー方式でもよい。
【００２８】
またダイヤル式入力部１０３に対する回転操作の回転方向に応じて、新しいデータから順次表示させたり、あるいは古いデータから順次表示させたりするようにしてもよい。また低速に回転させた場合と、高速に回転させた場合とで、データの切り替え速度を変えるようにしてもよい。つまり、低速で回転させた場合には、データを順次切り替えて表示させるが、高速回転させた場合には、データを例えば１つ飛ばして切り替え表示する。これらの組み合わせの一例を図５に図示する。
【００２９】
電源をＯＦＦにする方法については特に言及しなかったが、図４に示した処理の実行中に、ダイヤル式入力部１０３を所定時間以上長押しした場合には、処理を中断して、それ前に一時的に記録しておいたデータにファイル名を付与して保存し、電源をＯＦＦにするようにしてもよい。また一定時間の間、ユーザ操作がない場合に、同様にデータを保存して、電源をＯＦＦにするようにしてもよい。
【００３０】
またスタイラス１０２１は、表示記憶装置１００と別体として示したが、表示記憶装置１００とコードで接続されたり、表示記憶装置１００に収納される構造を有するようにしてもよい。
【００３１】
その他、マイクロホンやスピーカを内蔵し、サウンドの録音機能や再生機能を持たせるようにしてもよい。  
その他、この発明の要旨を逸脱しない範囲で種々の変形を施しても同様に実施可能であることはいうまでもない。
【図面の簡単な説明】
【００３２】
【図１】この発明に係わる表示記憶装置の一実施形態の構成を示す外観図。
【図２】図１に示した表示記憶装置の回路ブロック図。
【図３】図１に示した表示記憶装置のダイヤル式入力部に対する操作を説明するための図。
【図４】図１に示した表示記憶装置の動作を説明するためのフローチャート。
【図５】図１に示した表示記憶装置に対する操作例を説明するための図。
【符号の説明】
【００３３】
１００…表示記憶装置、１０１…表示部、１０２…タッチ式入力部、１０２１…スタイラス、１０３…ダイヤル式入力部、１０３ａ…回転体、１０３ｂ，１０３ｃ…回転操作、１０３ｄ…押下操作、１０４…外部インタフェース、１０４１…端子保護カバー、１０５…記憶部、１０６…電源部、１１０…制御部。
【図１】
2008243041.tif 000003
【図２】
2008243041.tif 000004
【図３】
2008243041.tif 000005
【図４】
2008243041.tif 000006
【図５】
2008243041.tif 000007